(57)【要約】      （修正有）【課題】クレーン電力コレクタの電源表示装置を提供する。【解決手段】少なくとも１つの電源検出回路１０と、少なくとも１つ表示素子２０とを含む。電源検出回路１０は、クレーンの少なくとも１つの電力コレクタに配置され、クレーン電源の少なくとも一相の電力収集および電力供給状態を検出する。表示素子２０は電源検出回路１０に接続され、電源検出回路１０の制御により、クレーンの少なくとも一相の電力コレクタの電力収集および電力供給が正常状態または電力が正常ではない停電状態を表示する。クレーンの少なくとも一相の電力状態を検出して表示できるための装置である。【選択図】図１
0003218576.tif 000002
【実用新案登録請求の範囲】
【請求項１】
一種のクレーン電力コレクタの電源表示装置であって、少なくとも１つの電源検出回路と、少なくとも１つの表示素子とを含み、
前記電源検出回路は、クレーンの少なくとも１つの電力コレクタに配置され、前記クレーン電源の少なくとも一相の電力収集および電力供給状態を検出し、
前記表示素子は前記電源検出回路に接続され、前記電源検出回路の制御により、前記クレーンの少なくとも一相の電力コレクタの電力収集および電力供給が正常状態または電力が正常ではない停電状態を表示することを特徴とする、クレーン電力コレクタの電源表示装置。
【請求項２】
前記電源検出回路は少なくとも１対の電源コードにより、それぞれ前記クレーンの電力コレクタの電源端子と接地端子との間に接続され、前記クレーン電源の少なくとも一相の電力収集及び電力供給状態を検出することを特徴とする、請求項１に記載のクレーン電力コレクタの電源表示装置。
【請求項３】
前記電源検出回路は少なくとも１つの抵抗器と、少なくとも１つの整流ダイオードとを含み、
前記抵抗器は一端がクレーンの電力コレクタの電源端子に接続され、
前記整流ダイオードのアノード端は、クレーンの電力コレクタ用電源端子に接続されていない前記抵抗器の一端に接続され、前記整流ダイオードのカソード端は、表示素子の一端に接続され、前記表示素子の他端は、前記クレーンの電力コレクタの接地端子に接続されていることを特徴とする、請求項１または請求項２に記載のクレーン電力コレクタの電源表示装置。
【請求項４】
前記電源検出回路は少なくとも１つの電源感知ユニットと、少なくとも１つのマイクロプロセッサと、少なくとも１つの電源表示出力インターフェースと、少なくとも１つの電源ユニットとを含み、
前記電源感知ユニットは、前記クレーンの電力コレクタの電源端及び接地端に接続されて、前記クレーンの電力コレクタの電力収集及び電力供給状態を検出して電源感知信号を出力し、
前記マイクロプロセッサは、前記電源感知ユニットに接続され、前記電源感知ユニットから出力される電源感知信号を入力し、前記電源感知信号に応じた電源表示制御信号を出力し、
前記電源表示出力インターフェースは、前記マイクロプロセッサの電源表示制御信号を受信するために、前記マイクロプロセッサおよび表示素子に接続され、前記電源表示制御信号に応じて表示素子のオン/オフを制御することにより、表示素子のオン/オフを制御し、これに対応してクレーンの電力コレクタの電力供給状態を表示し、
前記電源ユニットは、前記電源感知ユニット、マイクロプロセッサ、および電源表示出力インターフェースに接続され、前記電源感知ユニット、マイクロプロセッサおよび電源表示出力インターフェースに作動電力を供給することを特徴とする、請求項１または請求項２に記載のクレーン電力コレクタの電源表示装置。
【請求項５】
前記電源検出回路の電源表示出力インターフェースは、少なくとも１つの無線警報出力インターフェースに結合され、前記無線警報出力インターフェースを介して無線電源警報信号を少なくとも１つの無線電源警報装置に出力することを特徴とする、請求項４に記載のクレーン電力コレクタの電源表示装置。
【請求項６】
前記無線電源警報装置は音声及び警報を表示する機能を有することを特徴とする、請求項５に記載のクレーン電力コレクタの電源表示装置。
【請求項７】
前記無線電源警報装置は、スマートフォンで構成されることを特徴とする、請求項５に記載のクレーン電力コレクタの電源表示装置。
【請求項８】
前記無線電源警報装置は、遠隔監視ステーションのクレーン電源警報システムから構成されることを特徴とする、請求項５に記載のクレーン電力コレクタの電源表示装置。
【請求項９】
前記電源検出回路の電源ユニットは、交流/直流電源変換器であり、前記電源ユニットは、前記クレーンの電力コレクタの電源端子及び接地端子に接続されていることを特徴とする、請求項４に記載のクレーン電力コレクタの電源表示装置。
【請求項１０】
前記電源検出回路の電源ユニットは、交流/直流電源変換器と電池とで構成されていることを特徴とする、請求項４に記載のクレーン電力コレクタの電源表示装置。
【請求項１１】
前記電源検出回路の電源ユニットは、電池で構成されていることを特徴とする、請求項４に記載のクレーン電力コレクタの電源表示装置。
【請求項１２】
前記電源検出回路によって配置されるクレーンの電力コレクタの底面には、前記電源検出回路が接続されて固定されるための少なくとも１つの凹部が設けられていることを特徴とする、請求項４に記載のクレーン電力コレクタの電源表示装置。
【請求項１３】
前記電源検出回路には、少なくとも２つの電源プラグが設けられ、そして少なくとも１つの接続ソケットが前記クレーンの電力コレクタの凹部に配置され、前記接続ソケットには、少なくとも２つのジャックが設けられ、前記クレーンの電力コレクタの給電端子および接地端子の一方にそれぞれ接続され、前記ソケットは、前記電源検出回路の電源プラグに対応してそれぞれに挿入して接続され、前記クレーンの電力コレクタの電源端子および接地端子に電気的に接続されることを特徴とする、請求項１に記載のクレーン電力コレクタの電源表示装置。
【請求項１４】
前記表示素子は、発光ダイオード（ＬＥＤ）によって構成されることを特徴とする、請求項１に記載のクレーン電力コレクタの電源表示装置。
【考案の詳細な説明】
【技術分野】
【０００１】
本考案は、クレーン電力コレクタの電源表示装置に関し、特に、天井走行クレーンの電力コレクタに応用され、クレーンの少なくとも一相の電源が通電状態または非通電状態を検出して表示するための少なくとも1つの電源検出回路および表示素子を有する装置である。
【背景技術】
【０００２】
従来のクレーン（すなわち、天井走行クレーンｏｖｅｒｈｅａｄ  ｔｒａｖｅｌｌｉｎｇ  ｃｒａｎｅ）は、重機器材、航空機部品、工作物、鉄鋼およびその他の重量機器、設備および材料の吊り下げおよび多方向輸送作業に広く使用されている。特に、クレーンは天井の複数トラック、複数方向移動の効果を有し、重い装置、設備および材料を地上設備および人員に接触することがなく、所定の位置および固定点に移動搬送して、安全に天井トラックから除去されることを可能にする。しかし、従来のクレーンは走行トラックが高い位置に設置されているので、いつでも電源の状態を容易に獲得するためには、クレーンの動力を得るための電力収集装置と電源レールの同期移動接点を用いる必要がある。例えば、中国実用新案公開番号ＣＮ２８５３７３９Ｙの「屋外クレーンの滑動接触ライン保護シェルター」は、従来の滑動接触ライン（１）と滑動接触ライン電力収集装置との間の滑動接触を利用して、クレーン（５）が三相作動電力を得る技術が公開されている。
【先行技術文献】
【特許文献】
【０００３】
【特許文献１】中国特許ＣＮ２８５３７３９Ｙ号明細書
【特許文献２】台湾特許Ｍ３９４９８５号明細書
【０００４】
しかしながら、上記の従来技術と特許が公開しているクレーン電力収集装置と電源レール或いは滑動接触ラインとの組み合わせにより電力収集し、クレーンの三相電源の構造を得ることにおいて、クレーンの実際の動作中、クレーンと電源レールの位置がより高いため、電力収集装置と電源レール間の接触導電または電源レールの電力状態を監視することはできない。クレーンの故障による停止中にも、クレーンの停電やクレーンモータの故障であるかどうかを直接判断することは不可能であり、その後の点検およびメンテナンスにおいてユーザに不都合および不具合を引き起こす。また、クレーンの三相電源の少なくとも一相が断電であれば、検出が困難であり、電力相損失によりクレーンモータ本体や電源部品が破損するという問題が生じ易い。現在、クレーンの電力収集装置において、電力取得操作の問題を解決することが非常に困難である。
【考案の概要】
【考案が解決しようとする課題】
【０００５】
出願人の台湾実用新案公報第Ｍ３９４９８５号の「クレーン、電源レールの安全キセノンランプ」に最初に掲載された事例では、クレーンの三相電源レールの通電状態を同期し検出して示すために、クレーンの電力収集装置の下に接続された同期移動ベース構造が明らかになった。
【０００６】
上述した従来技術や特許が示しているクレーンの構造と技術は、三相電源を得るために、電力収集装置が電源レールと接触して、電力収集装置の電源通電及び電源欠相状態を直接表示することができないため、ユーザは、クレーンモータの本体の故障やクレーンの電源故障の状態を迅速に把握して区別することができず、クレーンの後の検知やメンテナンスにおいて、不具合やトラブルが発生する。また、クレーンの三相電源に欠相が発生し、電源供給ができず、速やかに検出して稼働を停止しないと、クレーンモータ本体や電源部品に問題や不具合が発生する可能性が非常に高くなる。
【課題を解決するための手段】
【０００７】
このため、本考案は、クレーン電力コレクタの電源表示装置であって、少なくとも１つの電源検出回路と、少なくとも１つの表示素子を含む。電源検出回路は、クレーンの少なくとも１つの電力コレクタに配置され、クレーン電源の少なくとも一相の電力収集および電力供給状態を検出する。表示素子は電源検出回路に接続され、電源検出回路の制御により、クレーンの少なくとも一相の電力コレクタの電力収集および電力供給が正常状態または電力が正常ではない停電状態を表示する。
【０００８】
また、本考案のクレーン電力コレクタの電源表示装置において、電源検出回路は少なくとも１対の電源コードにより、それぞれクレーンの電力コレクタの電源端子と接地端子との間に接続され、クレーン電源の少なくとも一相の電力収集及び電力供給状態を検出する。
【０００９】
本考案のクレーン電力コレクタの電源表示装置において、電源検出回路は少なくとも１つの抵抗器と、少なくとも１つの整流ダイオードとを含む。
抵抗器は一端がクレーンの電力コレクタの電源端子に接続され、整流ダイオードのアノード端は、クレーンの電力コレクタ用電源端子に接続されていない前記抵抗器の一端に接続されている。整流ダイオードのカソード端は、表示素子の一端に接続され、表示素子の他端は、クレーンの電力コレクタの接地端子に接続されている。
【００１０】
本考案のクレーン電力コレクタの電源表示装置において、電源検出回路は少なくとも１つの電源感知ユニットと、少なくとも１つのマイクロプロセッサと、少なくとも１つの電源表示出力インターフェースと、少なくとも１つの電源ユニットとを含む。
電源感知ユニットは、クレーンの電力コレクタの電源端及び接地端に接続されて、クレーンの電力コレクタの電力収集及び電力供給状態を検出して電源感知信号を出力する。
マイクロプロセッサは、電源感知ユニットに接続され、電源感知ユニットから出力される電源感知信号を入力し、電源感知信号に応じた電源表示制御信号を出力する。
電源表示出力インターフェースは、マイクロプロセッサの電源表示制御信号を受信するために、マイクロプロセッサおよび表示素子に接続され、電源表示制御信号に応じて表示素子のオン/オフを制御することにより、表示素子のオン/オフを制御し、これに対応してクレーンの電力コレクタの電力供給状態を表示する。
電源ユニットは、電源感知ユニット、マイクロプロセッサ、および電源表示出力インターフェースに接続され、電源感知ユニット、マイクロプロセッサおよび電源表示出力インターフェースに作動電力を供給する。
【００１１】
本考案のクレーン電力コレクタの電源表示装置において、電源検出回路の電源表示出力インターフェースは、少なくとも１つの無線警報出力インターフェースに結合され、無線警報出力インターフェースを介して無線電源警報信号を少なくとも１つの無線電源警報装置に出力する。
【００１２】
本考案のクレーン電力コレクタの電源表示装置において、無線電源警報装置は音声及び警報を表示する機能を有する。
【００１３】
本考案のクレーン電力コレクタの電源表示装置において、無線電源警報装置は、スマートフォンで構成される。
【００１４】
本考案のクレーン電力コレクタの電源表示装置において、無線電源警報装置は、遠隔監視ステーションのクレーン電源警報システムから構成される。
【００１５】
本考案のクレーン電力コレクタの電源表示装置において、電源検出回路の電源ユニットは、交流/直流電源変換器であり、電源ユニットは、クレーンの電力コレクタの電源端子及び接地端子に接続されている。
【００１６】
本考案のクレーン電力コレクタの電源表示装置において、電源検出回路の電源ユニットは、交流/直流電源変換器と電池とで構成されている。
【００１７】
本考案のクレーン電力コレクタの電源表示装置において、電源検出回路の電源ユニットは、電池で構成されている。
【００１８】
本考案のクレーン電力コレクタの電源表示装置において、電源検出回路によって配置されるクレーンの電力コレクタの底面には、電源検出回路が接続されて固定されるための少なくとも1つの凹部が設けられている。
【００１９】
本考案のクレーン電力コレクタの電源表示装置において、電源検出回路には、少なくとも２つの電源プラグが設けられている。そして少なくとも１つの接続ソケットがクレーンの電力コレクタの凹部に配置され、接続ソケットには、少なくとも２つのジャックが設けられている。クレーンの電力コレクタの給電端子および接地端子の一方にそれぞれ接続され、ソケットは、電源検出回路の電源プラグに対応してそれぞれに挿入して接続され、前記クレーンの電力コレクタの電源端子および接地端子に電気的に接続される。
【００２０】
本考案のクレーン電力コレクタの電源表示装置において、前記表示素子は、発光ダイオード（ＬＥＤ）によって構成される。
【考案の効果】
【００２１】
本考案のクレーン電力コレクタの電源表示装置の有効性は、電源検出回路及び表示素子が共同でクレーンの少なくとも１つの電力コレクタに配置されることにより、クレーン電源の少なくとも一相の電力収集および電力供給状態を検出することである。ユーザは、異なる色の複数ＬＥＤの表示素子を点灯または消灯することに加えて、ユーザは地面からクレーン三相電源の各相の電力収集および電力供給状態を直接見ることができる。クレーンの電源に任意の一相に故障がある場合、すぐに知ることができ、クレーンの走行を停止し、メンテナンスを行うことができる。クレーンのスムーズな走行を保証し、クレーンのモーター本体と電源部品を保護することができる。上記従来のクレーンや先行クレーンの電力コレクタの電源状態が表示できない問題や、警報の問題と欠点を完全に解消することができるほか、本考案の電源検出回路は、電源プラグ等の設置及び、クレーンの電力コレクタに設けられた接続ソケットのジャックに接続することにより、電源検出回路の抜き差しすることができ、電源検出回路の保守および更新を容易にすることができる。また、更に、本考案の電源検出回路は、無線電源警報信号の送信機能を有し、無線電源警報信号は、無線信号受信および音声および光警報機能を備えたスマートフォンまたは遠隔監視ステーションの電源警報システムのような無線電源警報装置によって無線電源警信号を受信することができる。近所のオペレータまたは遠隔監視の担当者に、クレーン電力コレクタの三相電源の停電または故障状態を直ちに知らせるために、迅速かつ即時にクレーンの作動を停止し、メンテナンスを行い、それにより産業利用価値及び応用分野をさらに高めることができる。
【図面の簡単な説明】
【００２２】
【図１】本考案クレーン電力コレクタの電源表示装置の第1実施形態立体外観構造図である。
【図２】本考案クレーン電力コレクタの電源表示装置の第1実施形態立体分解斜視図である。
【図３】本考案クレーン電力コレクタの電源表示装置の第1実施形態回路図である。
【図４】本考案クレーン電力コレクタ用電源表示装置の第２実施形態を示す図である。
【図５】本考案クレーン電力コレクタ用電源表示装置の第1アプリケーション例である。
【図６】本考案クレーン電力コレクタ用電源表示装置の第５図Ｘ部分の部分拡大図である。
【図７】本考案クレーン電力コレクタ用電源表示装置の第３実施形態を示す図である。
【図８】本考案クレーン電力コレクタ用電源表示装置の第２アプリケーション例である。
【考案を実施するための形態】
【００２３】
本考案クレーン電力コレクタの電源表示装置１００の第1実施形態である第１図、第２図及び第３図を参照する。クレーン電力コレクタの電源表示装置の電源表示装置１００は、少なくとも１つの電源検出回路１０を含み、電源検出回路１０は、クレーン２００（図５に示す）の少なくとも1つの電力コレクタ２１０上に配置される。電源検出回路１０は、クレーン２００の電力コレクタ２１０の電源端子２１０Ａと接地端子２１０Ｂとの間に、クレーン２００の電力コレクタ２１０の少なくとも1つの相の電力収集状態及び電力供給状態を検出するために、少なくとも一対の電源コード１１、１２によりそれぞれ接続されている。本考案が挙げた例は、クレーン２００の三相電力コレクタ２１０の電力収集および電力供給状態を検知する。また、３つの電力コレクタ２１０の電源端子２１０Ａは、それぞれケーブル２１０Ｃ、２１０Ｄ、２１０Ｅにより三相電源を導き出すくことができる。３つの電力コレクタ２１０の一端は一種の接地端子２１０Ｂを共有する。接地端子２１０Ｂは、接地用の金属板からなり、また、電源検出回路１０を少なくとも１対の電源コード１２で連動して接続するための複数の接地用固定端子２１０Ｂ’が設けられている。接地端子２１０Ｂは、クレーン２００に電気的に接続されたハウジングシステムの接地を通じて接地することができる。なお、上述した電力コレクタ２１０の構成及び種類は、本考案の第１図、第２図、第４図乃至第８図に示すものに限定されるものではない。
【００２４】
クレーン２００の電力コレクタ２１０に配置される電源検出回路１０の構成は限定されない。本考案では、電力コレクタ２１０の底面に凹部２１１を設け、電源検出回路１０を埋設して結合される例を示しているが。他の同等の組み合わせおよび構造は、本考案の範囲には含まれていることを主張する。
【００２５】
上記電源検出回路１０の種類は特に限定されない。本考案の第１実施形態では、少なくとも1つの抵抗器１３および少なくとも１つの整流ダイオード１４（第３図に示すように）による構成が例示されている。抵抗器１３の一端は電源コード１１に接続され、電力コレクタ２１０の電源端子２１０Ａに接続され、抵抗器１３の他端は整流ダイオード１４のアノード端に接続されている。
【００２６】
電源検出回路１０の整流ダイオード１４のカソード端及び電源検出回路１０の電源コード１２には、少なくとも１つの表示素子２０がそれぞれ接続されている。表示素子２０の種類は特に限定されないが、本考案は発光ダイオードを例に挙げる。すなわち、発光ダイオード型の表示素子２０のアノード端およびカソード端は、整流ダイオード１４のカソード端および電源検出回路１０の電源コード１２にそれぞれ接続され、したがって、発光ダイオード型の表示素子２０は、電源検出回路１０によって制御され、クレーン２００の電力コレクタ２１０の電力収集及び電力供給が正常であるかまたは電力が異常であるかを点灯または消灯させることによって表示することができる。例えば、クレーン２００の電力コレクタ２１０の電力収集及び電力供給が正常である場合、発光ダイオード型の表示素子２０が点灯される。一方、電力コレクタ２１０の電流収集及び電源供給が異常な停電状態であれば、発光ダイオード型の表示素子２０はオフになる。
【００２７】
次に本考案クレーン電力コレクタの電源表示装置１００の第２実施形態である図４を参照する。電源検出回路１０には、少なくとも２つの電源プラグ１５、１６が設けられており、少なくとも１つの接続ソケット１７がクレーン２００の電力コレクタ２１０の凹部２１１に配置されている。接続ソケット１７には、クレーン２００の電力コレクタ２１０の電源端子２１０Ａ及び接地端子２１０Ｂにそれぞれ接続された少なくとも２つのソケット１７１、１７２が設けられている。また、ソケット１７１、１７２は、それぞれ電源検出回路１０の電源プラグ１５、１６に接続され、クレーン２００の電力コレクタ２１０の電源端子２１０Ａと接地端子２１０Ｂとは電気的に接続されており、すなわち電源検出回路１０をソケット１７から自由に抜き差しすることができる。
【００２８】
本考案クレーン電力コレクタの電源表示装置１００の第１実施形態である第５図及び第６図を再度参照する。クレーン２００の一側にはＬ型ブラケット２２０が配置され、Ｌ型ブラケット２２０の下端は３つの電力コレクタ２１０一端の接地端子２１０Ｂに接続されている。３つの電力コレクタ２１０一端の電源端子２１０Ａ表面は、上方に３つの電源レール２３０Ｒ、２３０Ｓ、２３０Ｔの底面に接触してそれぞれ接続されている。３本の電源レール２３０Ｒ、２３０Ｓ、２３０Ｔには、三相２２０Ｖまたは三相３８０Ｖの三相電源がそれぞれ接続されている。第５図に示す３つの電力コレクタ２１０の電源端子２１０Ａの表面は、クレーン２００移動中の任意の時点で、３つの電源レール２３０Ｒ、２３０Ｓ、２３０Ｔの底面に接触して導電状態を保つことができる。
３つの電力コレクタ２１０の電源端子２１０Ａは、ケーブル２１０Ｃ、２１０Ｄ、２１０Ｅと共に三相電力をそれぞれ動力源としてクレーン２００に導入することができる。
電源レール２３０Ｒ、２３０Ｓ、２３０Ｔのいずれかが電源が切られるか、または３つの電力コレクタ２１０のいずれかが一端で電源端子２１０Ａの表面から離脱し、電源がオフになるとき、電源レール２３０Ｒ、２３０Ｓ、２３０Ｔの電源をオフに対応する電力コレクタ２１０の電源表示装置１００における電源検出回路１０は整流ダイオード型の表示素子２０の消灯を制御する。ユーザは、地上の電力コレクタ２１０の電源検出回路１０における表示素子２０の点灯状態または消灯状態に応じて、電源レール２３０Ｒ、２３０Ｓ、２３０Ｔの三相電力の電源状態を知ることができる。または、電力コレクタ２１０の電源端子２１０Ａと電源レール２３０Ｒ、２３０Ｓ、２３０Ｔとが導通している状態を知ることができる。さらに、各電力コレクタ２１０の電源検出回路１０上の表示素子２０は、電力レール２３０Ｒ、２３０Ｓ、および２３０Ｔをそれぞれ示すために、赤色、黄色、および緑色などの異なる色によって表すこともできる。そして、対応する電力コレクタ２１０で表される三相電源の相順を表すこともできる。例えば、電源レール２３０Ｒ、２３０Ｓ、２３０Ｔは、それぞれ三相電源におけるＲ、Ｓ、Ｔ電源の位相シーケンスを表す。対応する三相電力位相シーケンスの電源レール２３０Ｒ、２３０Ｓ、および２３０Ｔがパワーオフされているか、または電力コレクタ２１０がパワーオフされていることが一目瞭然で分かるので、ユーザはクレーンを直ちに停止状態に制御して、メンテナンスを行うことができる。
【００２９】
本考案クレーン電力コレクタの電源表示装置１００の第３実施形態及び第２適用例である第７図及び第８図を参照する。電源検出回路１０は、少なくとも１つの電力感知ユニット１８Ａ、少なくとも１つのマイクロプロセッサ１８Ｂ、少なくとも１つの電源表示出力インターフェース１８Ｃ、および電源ユニット１８Ｄの一例として示されている。電源感知ユニット１８Ａは、クレーン２００の電力コレクタ２１０の電源端子２１０Ａ及び接地端子２１０Ｂに接続され、クレーン２００の電力コレクタ２１０の電力収集状態及び電力供給状態を検出し、電源感知信号１８１を出力する。
【００３０】
前記マイクロプロセッサ１８Ｂは、電源感知ユニット１８Ａに接続され、電源感知ユニット１８Ａが出力する電源感知信号１８１を入力し、電源感知信号１８１に応じて電源表示制御信号１８２を出力する。
【００３１】
電源表示出力インターフェース１８Ｃは、マイクロプロセッサ１８Ｂの電源表示制御信号１８２を受信するために、マイクロプロセッサ１８Ｂおよび表示素子２０に接続され、電源表示制御信号１８２に従って表示素子２０をオンまたはオフに制御する。クレーン２００の電力コレクタ２１０の電力収集及び電力供給状態は、対応する表示素子２０の点灯又は消灯状態によって表示される。さらに、電源表示出力インターフェース１８Ｃは、少なくとも1つの無線警報出力インターフェース１８３に結合され、無線警報出力インターフェース１８３を介して無線電源警報信号１８４を少なくとも1つの無線電源警報装置３００に出力する。無線電源警報装置３００は、ディスプレイ及び可聴アラーム機能を有し、無線電源警報装置３００の種類は限定されない。本考案のクレーンの電力コレクタ用電源表示装置では、スマートフォンとリモート監視ステーションで構成されている。
無線警報出力インターフェース１８３が出力する電源レール２３０Ｒ、２３０Ｓ、２３０Ｔに対応する三相電源状態、あるいは、電力コレクタ２１０の電源端子２１０Ａと電源レール２３０Ｒ、２３０Ｓ、２３０Ｔとの接続状態を介して、無線電源警報信号１８４は無線電源警報装置３００に送信され、停電中の表示または音声動作をユーザに警告する。
【００３２】
少なくとも1つの電源ユニット１８Ｄは電源感知ユニット１８Ａ、マイクロプロセッサ１８Ｂ、および電源表示出力インターフェース１８Ｃに接続され、電源感知ユニット１８Ａ、マイクロプロセッサ１８Ｂおよび電源表示出力インターフェース１８Ｃに動作電力を供給する。電源ユニット１８Ｄの種類は特に限定されないが、ここでは、交流/直流変換器を例に挙げて説明する。同等の電池または交流/直流変換器および電池などの他の電源タイプは、本考案の請求項の範囲に含まれる。電源ユニット１８Ｄは、クレーン２００の電力コレクタ２１０の電源端子２１０Ａ及び接地端子２１０Ｂに接続されている。クレーン２００の電力コレクタ２１０の単相電力を少なくとも電源感知ユニット１８Ａ、マイクロプロセッサ１８Ｂ及び電源表示出力インターフェース１８Ｃへの直流電力に変換する。クレーン２００の電力コレクタ２１０の電力収集及び電力供給状態がパワーオフされると、表示素子２０も消灯され、クレーン２００の電力コレクタ２１０の電力収集または電力供給が停止状態を表示して警告する。また、電源ユニット１８Ｄが電池または交流/直流変換器に電池を加えた形態である場合、またはクレーン２００の電力コレクタ２１０の電力収集または電力供給が停止状態にある場合、電源ユニット１８Ｄは、依然として電源感知ユニット１８Ａ、マイクロプロセッサ１８Ｂ、および電源表示出力インターフェース１８Ｃに電力を供給することができる。無線警報出力インターフェース１８３は、無線電源警報装置３００に無線電源警報信号１８４を出力することができ、音声及び光点滅でクレーン２００の電力コレクタ２１０が電力収集または電力供給が断電している故障状態を警告することができる。本実施形態では、電源ユニット１８Ｄが電池電源部品または交流/直流変換器に電池を加えたものである。
また、表示素子２０は、クレーン２００の電力コレクタ２１０の表示状態において、電力収集または電力供給が正常な状態である場合にオフにして表示することができる。また、クレーン２００の電力コレクタ２１０の電力収集または電力供給が停止状態になると、表示素子２０がオンまたは点滅して表示し、停電である故障状態を警告することができる。
【００３３】
本考案クレーン電力コレクタの電源表示装置１００は上述した本考案の図１乃至図8に示されているが、本考案の技術内容及び技術的手段の明確化を容易にするためであり、開示された好ましい実施形態の1つにすぎないのであって、それに限定されない。
さらに、本考案構成要素の全ての改変、変更、または等価な代替および置換は、本考案創造的精神および範囲から逸脱することなく、以下の実用新案登録請求の範囲によって定義されるものとする。
【符号の説明】
【００３４】
１００      電力コレクタの電源表示装置
１０        電源検出回路
１１        電源コード
１２        電源コード
１３        抵抗器
１４        整流ダイオード
１５        電源プラグ
１６        電源プラグ
１７        接続ソケット
１７１      ソケット
１７２      ソケット
１８Ａ      電源感知ユニット
１８Ｂ      マイクロプロセッサ
１８Ｃ      電源表示出力インターフェース
１８Ｄ      電源ユニット
１８１      電源感知信号
１８２      電源表示制御信号
１８３      無線警報出力インターフェース
１８４      無線電源警報信号
２０        表示素子
２１        電力コレクタ
２００      クレーン
２１０      電力コレクタ
２１０Ａ    電源端子  
２１０Ｂ    接地端子
２１０Ｂ’  接地用固定端子
２１０Ｃ    ケーブル
２１０Ｄ    ケーブル
２１０Ｅ    ケーブル
２１１      凹部
２２０      Ｌ型ブラケット
２３０Ｒ    電源レール
２３０Ｓ    電源レール
２３０Ｔ    電源レール
３００      無線電源警報装置
【図１】
0003218576.tif 000003
【図２】
0003218576.tif 000004
【図３】
0003218576.tif 000005
【図４】
0003218576.tif 000006
【図５】
0003218576.tif 000007
【図６】
0003218576.tif 000008
【図７】
0003218576.tif 000009
【図８】
0003218576.tif 000010